(57)【要約】【課題】データを容易に管理する。【解決手段】ICカード１５ａまたは１５ｂは、それぞれ所定の記憶領域を指示するアドレスを、そのメモリに記憶しており、例えば、ユーザが、ICカード１５ａをビデオカメラ１１のカードR/W２２にかざすと、カードR/W２２はICカード１５ａに記憶されている記憶領域を指示するアドレスを読み出す。そして、撮影部２３は、記憶の対象となる映像を撮影し、制御部２７は、送信部２５を制御して、撮影部２３により撮影された映像を、カードR/W２２がICカード１５ａから読み出したアドレスにより指示される記憶領域に記憶させるために送信させる。本発明は、例えば、ビデオカメラに適用できる。【選択図】図２
2008276667.tif 000002
【特許請求の範囲】
【請求項１】
所定の記憶領域に記憶されるデータを管理するデータ管理装置において、
前記記憶領域を指示するアドレスを記憶しているメモリを有する物体と通信し、複数の前記物体のうちの、ユーザにより通信の対象とされた物体の前記メモリからアドレスを読み出す読み出し手段と、
前記記憶領域への記憶の対象となるデータを取得するデータ取得手段と、
前記データ取得手段が取得したデータを、前記読み出し手段が読み出したアドレスにより指示される記憶領域に記憶させる記憶制御手段と
を備えるデータ管理装置。
【請求項２】
前記読み出し手段が読み出した前記アドレスにより指示される記憶領域に記憶されているデータの一覧であるデータリストを取得するデータリスト取得手段と、
前記データリスト取得手段が取得したデータリストに含まれるデータのうちの、ユーザにより指定されたデータを、前記記憶領域から読み出すデータ読み出し手段と
をさらに備える請求項１に記載のデータ管理装置。
【請求項３】
前記記憶領域は、前記データ管理装置にネットワークを介して接続されたサーバに設けられており、
前記記憶制御手段は、前記データ取得手段が取得したデータを、前記ネットワークを介して、前記サーバに送信して前記記憶領域に記憶させる
請求項１に記載のデータ管理装置。
【請求項４】
複数の前記物体のメモリには、それぞれの物体を識別するための識別符号が記憶されており、
前記読み出し手段は、前記物体のメモリから前記識別符号をさらに読み出し、
前記記憶制御手段は、前記メモリから読み出された前記アドレスと前記識別符号とを前記サーバに送信して前記サーバへのアクセスを要求し、前記アクセスの要求に対する認証が成功した場合に、前記データ取得手段が取得したデータを、前記サーバに送信して前記記憶領域に記憶させる
請求項３に記載のデータ管理装置。
【請求項５】
前記サーバは、前記記憶領域と、前記記憶領域に記憶されたデータに対して施すデータ処理とが対応付けられている場合、前記記憶制御手段から前記記憶領域に記憶させるべく送信されてきたデータに対して前記データ処理を施す
請求項３に記載のデータ管理装置。
【請求項６】
前記データ取得手段は、被写体を撮影する撮影手段であり、
前記記憶制御手段は、前記撮影手段が被写体を撮影した結果取得される映像を、前記アドレスにより指示される記憶領域に記憶させる
請求項１に記載のデータ管理装置。
【請求項７】
前記データ取得手段は、放送信号を復調する復調手段であり、
前記記憶制御手段は、前記復調手段が放送信号を復調した結果取得される映像を、前記アドレスにより指示される記憶領域に記憶させる
請求項１に記載のデータ管理装置。
【請求項８】
所定の記憶領域に記憶されるデータを管理するデータ管理方法において、
前記記憶領域を指示するアドレスを記憶しているメモリを有する物体と通信し、複数の前記物体のうちの、ユーザにより通信の対象とされた物体の前記メモリからアドレスを読み出し、
前記記憶領域への記憶の対象となるデータを取得し、
前記データを、前記アドレスにより指示される記憶領域に記憶させる
ステップを含むデータ管理方法。
【請求項９】
所定の記憶領域に記憶されるデータを管理するデータ管理処理をコンピュータに実行させるプログラムにおいて、
前記記憶領域を指示するアドレスを記憶しているメモリを有する物体と通信させ、複数の前記物体のうちの、ユーザにより通信の対象とされた物体の前記メモリからアドレスを読み出し、
前記記憶領域への記憶の対象となるデータを取得し、
前記データを、前記アドレスにより指示される記憶領域に記憶させる
ステップを含むデータ管理処理をコンピュータに実行させるプログラム。
【発明の詳細な説明】
【技術分野】
【０００１】
本発明は、データ管理装置およびデータ管理方法、並びにプログラムに関し、特に、データを容易に管理することができるようにしたデータ管理装置およびデータ管理方法、並びにプログラムに関する。
【背景技術】
【０００２】
従来、ビデオカメラは、ユーザの操作に応じて被写体を撮影し、撮影した結果得られる映像をデジタルビデオカセットテープやDVD（digital versatile disc）などのメディアに記録する。ユーザは、映像が記録されたメディアを物理的に管理することで、例えば、所定の位置に保管することで、映像の管理を行う。
【０００３】
また、ハードディスクなどの記憶部を内蔵するパーソナルコンピュータは、映像などのデータを、記憶部に記憶する。パーソナルコンピュータは、映像のデータを仮想的に表すアイコンなどのGUI（Graphical User Interface）をディスプレイに表示し、ユーザは、アイコンを操作することで、映像の管理を行う。
【０００４】
さらに、パーソナルコンピュータが、ネットワークを介して、所定の記憶領域を提供するサーバ（いわゆるストレージサービスを提供するサーバ）に接続され、サーバとパーソナルコンピュータとによるストレージシステムが構成されているとき、パーソナルコンピュータは、映像などのデータをサーバに送信し、サーバ上の所定の記憶領域に記憶させる。このようなストレージシステムにおいても、ユーザは、パーソナルコンピュータのディスプレイに表示されるアイコンを操作することで、映像の管理を行う。
【０００５】
例えば、パーソナルコンピュータは、映像のデータを表すアイコンや、保存先となるサーバ上の記憶領域などを表すアイコンを、ディスプレイに表示し、ユーザは、キーボードや、マウス、リモートコマンダなどの入力手段を操作することにより、ディスプレイ上でアイコンを移動させることができる。そして、ユーザが、サーバ上の記憶領域を表すアイコンに、映像のデータを表すアイコンを重ね合わせるように移動させると、その記憶領域に映像が記憶される。
【０００６】
ここで、ユーザが、IC（integrated circuit）チップを内蔵する携帯電話機をリーダ／ライタにかざすことにより、ICチップが、リーダ／ライタとの通信を行うとともに、携帯電話機の通信網を介してサーバに接続し、サーバに記憶されているプログラムまたはデータを用いて各種の処理を実行させる技術が開示されている（例えば、特許文献１参照）。
【０００７】
また、ユーザが、ユーザの認証に用いられる認証情報が記憶されたICカードを、ICカードリーダを備えた移動端末にかざすことにより、移動端末が、ネットワークを介して通信を行い、所定の認証処理を実行させる技術が開示されている（例えば、特許文献２参照）。
【０００８】
【特許文献１】特開２００２−３５４５４６号公報
【特許文献２】特開２００４−３１８８５６号公報
【発明の開示】
【発明が解決しようとする課題】
【０００９】
上述したように、ユーザは、映像のデータなどを仮想的に表したアイコンを操作することで、映像の管理を行うことができる。しかしながら、ユーザによっては、このような映像の管理は、デジタルビデオカセットテープやDVDなどの物理的なメディアによる映像の管理より分かり難く、仮想的なアイコンによる映像の管理を行うことが困難であった。
【００１０】
本発明は、このような状況に鑑みてなされたものであり、データを容易に管理することができるようにするものである。
【課題を解決するための手段】
【００１１】
本発明の一側面のデータ管理装置は、所定の記憶領域に記憶されるデータを管理するデータ管理装置であって、前記記憶領域を指示するアドレスを記憶しているメモリを有する物体と通信し、複数の前記物体のうちの、ユーザにより通信の対象とされた物体の前記メモリからアドレスを読み出す読み出し手段と、前記記憶領域への記憶の対象となるデータを取得するデータ取得手段と、前記データ取得手段が取得したデータを、前記読み出し手段が読み出したアドレスにより指示される記憶領域に記憶させる記憶制御手段とを備える。
【００１２】
本発明の一側面のデータ管理方法またはプログラムは、所定の記憶領域に記憶されるデータを管理するデータ管理方法、または、所定の記憶領域に記憶されるデータを管理するデータ管理処理をコンピュータに実行させるプログラムであって、前記記憶領域を指示するアドレスを記憶しているメモリを有する物体と通信させ、複数の前記物体のうちの、ユーザにより通信の対象とされた物体の前記メモリからアドレスを読み出し、前記記憶領域への記憶の対象となるデータを取得し、前記データを、前記アドレスにより指示される記憶領域に記憶させるステップを含む。
【００１３】
本発明の一側面においては、記憶領域を指示するアドレスを記憶しているメモリを有する物体と通信し、複数の物体のうちの、ユーザにより通信の対象とされた物体のメモリからアドレスが読み出される。そして、記憶領域への記憶の対象となるデータが取得されると、そのデータが、アドレスにより指示される記憶領域に記憶される。
【発明の効果】
【００１４】
本発明の一側面によれば、データを容易に管理することができる。
【発明を実施するための最良の形態】
【００１５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１６】
本発明の一側面のデータ管理装置は、所定の記憶領域に記憶されるデータを管理するデータ管理装置であって、
前記記憶領域を指示するアドレスを記憶しているメモリを有する物体と通信し、複数の前記物体のうちの、ユーザにより通信の対象とされた物体の前記メモリからアドレスを読み出す読み出し手段（例えば、図２のカードR/W２２）と、
前記記憶領域への記憶の対象となるデータを取得するデータ取得手段（例えば、図２の撮影部２３）と、
前記データ取得手段が取得したデータを、前記読み出し手段が読み出したアドレスにより指示される記憶領域に記憶させる記憶制御手段（例えば、図５のステップＳ１８の処理を実行する図２の制御部２７）と
を備える。
【００１７】
また、本発明の一側面のデータ管理装置は、
前記読み出し手段が読み出した前記アドレスにより指示される記憶領域に記憶されているデータの一覧であるデータリストを取得するデータリスト取得手段（例えば、図６のステップＳ３０およびＳ３１の処理を実行する図３の制御部４７）と、
前記データリスト取得手段が取得したデータリストに含まれるデータのうちの、ユーザにより指定されたデータを、前記記憶領域から読み出すデータ読み出し手段（例えば、図６のステップＳ３２およびＳ３３の処理を実行する図３の制御部４７）と
をさらに備えることができる。
【００１８】
本発明の一側面のデータ管理方法またはプログラムは、所定の記憶領域に記憶されるデータを管理するデータ管理方法、または、所定の記憶領域に記憶されるデータを管理するデータ管理処理をコンピュータに実行させるプログラムであって、
前記記憶領域を指示するアドレスを記憶しているメモリを有する物体と通信させ、複数の前記物体のうちの、ユーザにより通信の対象とされた物体の前記メモリからアドレスを読み出し（例えば、図５のステップＳ１３）、
前記記憶領域への記憶の対象となるデータを取得し（例えば、図５のステップＳ１８）、
前記データを、前記アドレスにより指示される記憶領域に記憶させる（例えば、図５のステップＳ１８）
ステップを含む。
【００１９】
以下、本発明を適用した具体的な実施の形態について、図面を参照しながら詳細に説明する。
【００２０】
図１は、本発明を適用したストレージシステムの一実施の形態の構成例を示す図である。
【００２１】
図１において、ストレージシステムは、ビデオカメラ１１、テレビジョン受像機１２、サーバ１３、ネットワーク１４、並びに、ICカード１５ａおよび１５ｂから構成される。ビデオカメラ１１、テレビジョン受像機１２、およびサーバ１３は、ネットワーク１４を介して接続されている。
【００２２】
ビデオカメラ１１は、ユーザの操作に応じて被写体を撮影し、その結果得られる映像を、ネットワーク１４を介してサーバ１３に送信して、サーバ１３により提供される所定の記憶領域に記憶させる。
【００２３】
テレビジョン受像機１２は、図示しない放送局から送信される放送信号を受信し、その放送信号を復調して得られる映像のうち、録画の対象となっている映像を、ネットワーク１４を介してサーバ１３に送信して、サーバ１３により提供される所定の記憶領域に記憶させる。また、テレビジョン受像機１２は、サーバ１３により提供される所定の記憶領域に記憶されている映像を、ネットワーク１４を介してサーバ１３から読み出し、再生する。
【００２４】
サーバ１３は、ネットワーク１４を介して接続されたビデオカメラ１１やテレビジョン受像機１２などの機器に、所定の記憶領域を提供する。即ち、サーバ１３は、ビデオカメラ１１やテレビジョン受像機１２から送信されてくる映像を、所定の記憶領域に記憶したり、ビデオカメラ１１やテレビジョン受像機１２からの要求に応じて、所定の記憶領域に記憶している映像を送信する。
【００２５】
ネットワーク１４は、Internetや、LAN（Local Area Network）、電話回線、CATV（cable television）などを含む各種のネットワークである。
【００２６】
ICカード１５ａは、ビデオカメラ１１またはテレビジョン受像機１２との間で近距離通信を行い、ICカード１５ｂも、ビデオカメラ１１またはテレビジョン受像機１２との間で近距離通信を行う。また、ICカード１５ａまたは１５ｂが有するメモリには、個々のICカードを識別するためのカードID（Identification）と、所定のサーバの記憶領域を指示するアドレス（アクセスパス）とが、それぞれ記憶されている。
【００２７】
例えば、ICカード１５ａには、サーバ１３の記憶領域Ａを指示するアドレスが記憶されており、ICカード１５ｂには、サーバ１３の記憶領域Ｂを指示するアドレスが記憶されている。この場合、ユーザは、ICカード１５ａを購入することにより、ICカード１５ａに記憶されているアドレスにより指示されるサーバ１３の記憶領域Ａを利用することができ、ICカード１５ｂを購入することにより、ICカード１５ｂに記憶されているアドレスにより指示されるサーバ１３の記憶領域Ｂを利用することができる。
【００２８】
具体的には、ユーザが、ICカード１５ａをビデオカメラ１１にかざすと、ビデオカメラ１１は、撮影した映像を、ネットワーク１４を介してサーバ１３に送信し、サーバ１３の記憶領域Ａに記憶させる。また、ユーザが、ICカード１５ａに替えて、ICカード１５ｂをビデオカメラ１１にかざすと、ビデオカメラ１１は、撮影した映像を、ネットワーク１４を介してサーバ１３に送信し、サーバ１３の記憶領域Ｂに記憶させる。
【００２９】
さらに、例えば、サーバ１３の記憶領域Ａに映像が記憶されているときに、ユーザが、ICカード１５ａをテレビジョン受像機１２にかざすと、テレビジョン受像機１２は、サーバ１３の記憶領域Ａに記憶されている映像を、ネットワーク１４を介して送信させ、その映像を再生する。また、サーバ１３の記憶領域Ｂに映像が記憶されているときに、ユーザが、ICカード１５ｂをテレビジョン受像機１２にかざすと、テレビジョン受像機１２は、サーバ１３の記憶領域Ｂに記憶されている映像を、ネットワーク１４を介して送信させ、その映像を再生する。
【００３０】
次に、図２は、図１のビデオカメラ１１の構成の例を示すブロック図である。
【００３１】
ビデオカメラ１１は、入力部２１、カードR/W（Reader/Writer：リーダライタ）２２、撮影部２３、表示部２４、送信部２５、受信部２６、および制御部２７から構成される。
【００３２】
入力部２１は、図示しないスイッチボタンなどで構成されており、ユーザによって操作され、ユーザの操作に対応した操作信号を、制御部２７に供給する。
【００３３】
カードR/W２２は、ICカード１５ａまたは１５ｂとの間で近距離通信を行う。上述したように、例えば、ICカード１５ａには、ICカード１５ａを識別するためのカードIDと、サーバ１３の記憶領域Ａを指示するアドレスとが記憶されており、ユーザが、ICカード１５ａをカードR/W２２にかざすと、カードR/W２２は、ICカード１５ａからカードIDおよびアドレスを読み出し、制御部２７に供給する。
【００３４】
撮影部２３は、図示しないレンズや撮像素子などで構成されており、被写体を撮影し、撮影した結果得られる映像を、制御部２７の制御に従って、表示部２４または送信部２５に供給する。
【００３５】
表示部２４は、LCD(Liquid Crystal Display)などで構成されており、撮影部２３により撮影された映像を表示する。また、表示部２４は、制御部２７の制御に応じて、ユーザへ通知すべきメッセージを表示する。
【００３６】
送信部２５および受信部２６は、図１のネットワーク１４を介して、サーバ１３とのデータの送受信を行う。
【００３７】
送信部２５は、制御部２７の制御に従って、例えば、カードR/W２２がICカード１５ａから読み出したアドレスにより指示されるサーバ１３の記憶領域Ａへのアクセスを要求するコマンドや、撮影部２３が撮影した映像のデータなどを、サーバ１３に送信する。
【００３８】
受信部２６は、送信部２５から送信されたアクセスを要求するコマンドに対するレスポンスがサーバ１３から送信されてくると、そのレスポンスを受信し、制御部２７に供給する。
【００３９】
制御部２７は、CPU（Central Processing Unit）２８およびメモリ２９などから構成される。
【００４０】
CPU２８は、メモリ２９に記憶されているプログラムを実行し、ビデオカメラ１１を構成する各部を制御する。
【００４１】
メモリ２９は、例えば、ROM(Read Only Memory)や、RAM（Random Access Memory）、EEPROM(Electrically Erasable and Programmable ROM)などで構成されており、CPU２８が実行するプログラムや、CPU２８がプログラムを実行する上で必要なデータなどを、適宜、記憶する。
【００４２】
例えば、ユーザが、ICカード１５ａをカードR/W２２にかざし、カードR/W２２が、ICカード１５ａに記憶されているカードIDおよびアドレスを読み出して、制御部２７に供給すると、制御部２７は、送信部２５を制御して、ICカード１５ａから読み出されたアドレスにより指示されるサーバ１３の記憶領域Ａへのアクセスを要求するコマンドをサーバ１３に送信させる。
【００４３】
その後、サーバ１３から、例えば、ビデオカメラ１１からのアクセスの要求に対する認証は成功した旨を示すレスポンスが送信され、受信部２６が、そのレスポンスを受信して制御部２７に供給すると、制御部２７は、送信部２５を制御し、撮影部２３により撮影された映像をサーバ１３に送信させ、サーバ１３の記憶領域Ａに記憶させる。
【００４４】
次に、図３は、図１のテレビジョン受像機１２の構成の例を示すブロック図である。
【００４５】
図３において、テレビジョン受像機１２は、操作信号受信部４１、カードR/W４２、チューナ４３、表示部４４、送信部４５、受信部４６、制御部４７、およびリモートコマンダ４８から構成され、制御部４７は、CPU４９およびメモリ５０から構成される。
【００４６】
ここで、テレビジョン受像機１２のカードR/W４２、表示部４４、送信部４５、受信部４６、制御部４７，CPU４９、またはメモリ５０は、図２のビデオカメラ１１のカードR/W２２、表示部２４、送信部２５、受信部２６、制御部２７，CPU２８、またはメモリ２９と、それぞれ同様に構成されており、以下では、その説明は、適宜省略する。
【００４７】
操作信号受信部４１は、リモートコマンダ４８から送信されてくる操作信号を受信する。即ち、リモートコマンダ４８は、ユーザによって操作されると、その操作に対応した操作信号を送信するようになっており、操作信号受信部４１は、このようにしてリモートコマンダ４８から送信されてくる操作信号を受信し、制御部４７に供給する。
【００４８】
チューナ４３には、図示せぬアンテナで受信されたディジタル放送の放送信号が供給される。チューナ４３は、制御部４７の制御に従い、そこに供給される放送信号から所望のチャンネルの放送信号を選択して復調し、その復調の結果得られる映像を、表示部４４に供給して表示させる。また、チューナ４３は、制御部４７の制御に従い、放送信号を復調して得られた映像を、送信部４５に供給して送信させる。
【００４９】
リモートコマンダ４８は、テレビジョン受像機１２を遠隔制御するときにユーザによって操作され、そのユーザの操作に応じた操作信号を、例えば、赤外線や電磁波などの無線によって、操作信号受信部４１に送信する。リモートコマンダ４８は、ユーザにより操作されるボタンやジョイスティックなどを備えている。
【００５０】
例えば、ICカード１５ｂに記憶されているアドレスにより指示されるサーバ１３の記憶領域Ｂに、映像が既に記憶されているとする。そして、ユーザが、テレビジョン受像機１２のカードR/W４２に、ICカード１５ｂにかざすと、カードR/W４２は、ICカード１５ｂからカードIDおよびアドレスを読み出して、制御部４７に供給する。制御部４７は、送信部４５を制御して、カードR/W４２から供給されたアドレスにより指示されるサーバ１３の記憶領域Ｂへのアクセスを要求するコマンドを、サーバ１３に送信させる。
【００５１】
そして、サーバ１３から、例えば、テレビジョン受像機１２からのアクセスの要求に対する認証が成功した旨を示すレスポンスが送信され、その後、サーバ１３の記憶領域Ｂに記憶されている映像のリストが送信されてくると、制御部４７は、映像のリストに基づいて、サーバ１３の記憶領域Ｂに記憶されている映像を示すアイコンを表示部４４に表示させる。
【００５２】
そして、ユーザが、リモートコマンダ４８を操作して、任意のアイコンを選択し、そのアイコンが示す映像の再生を指示すると、制御部４７は、送信部４５を制御して、ユーザにより再生が指示された映像の送信を要求するコマンドをサーバ１３に送信させる。その後、そのコマンドに応じてサーバ１３から映像が送信されてくると、受信部４６は、その映像を受信して表示部４４に供給して表示させ、これにより、再生が指示された映像が再生される。
【００５３】
次に、図４は、図１のサーバ１３の構成の例を示すブロック図である。
【００５４】
図４において、サーバ１３は、CPU６１，ROM６２，RAM６３、バス６４、入出力インターフェース６５、入力部６６、出力部６７、記憶部６８、通信部６９、およびドライブ７０から構成される。
【００５５】
CPU６１，ROM６２、およびRAM６３は、バス６４を介して相互に接続されており、また、バス６４には、入出力インターフェース６５も接続されている。入出力インターフェース６５には、バス６４の他、入力部６６、出力部６７、記憶部６８、通信部６９、およびドライブ７０が接続されている。
【００５６】
CPU６１は、ROM６２に記憶されているプログラム、または、記憶部６８から入出力インターフェース６５およびバス６４を介してRAM６３にロードされたプログラムに従って、各種の処理を実行する。ROM６２は、CPU６１が実行するプログラムを記憶している。RAM６３は、CPU６１が実行するプログラムや、CPU６１が各種の処理を実行する上で必要なデータなどを適宜記憶する。
【００５７】
入力部６６は、キーボードや、マウス、マイク等で構成され、ユーザによって操作されると、その操作に基づいた入力信号を、入出力インターフェース６５およびバス６４を介してCPU６１に供給する。出力部６７は、CRT(Cathode Ray Tube)やLCD等のディスプレイや、スピーカなどで構成される。
【００５８】
記憶部６８は、ハードディスクやフラッシュメモリなどより構成され、CPU６１が実行するプログラムや、ネットワーク１４を介してサーバ１３に送信されてきた映像のデータなどを記憶する。また、記憶部６８は、サーバ１３へのアクセスの要求に対する認証が行われる際に参照されるICカード登録テーブル（後述する図８）を記憶しており、ICカード登録テーブルには、サーバ１３が提供する記憶部６８の記憶領域を利用可能なICカードのカードIDと、そのICカードに割り当てられた記憶領域を指示するアドレスとが対応付けられて登録されている。
【００５９】
通信部６９は、モデム、ターミナルアダプタ、その他の通信インターフェースなどより構成され、図１のネットワーク１４を介しての通信処理を行う。
【００６０】
ドライブ７０には、磁気ディスク、光ディスク、光磁気ディスク、あるいは半導体メモリなどよりなるリムーバルメディア７１が適宜装着される。ドライブ７０は、リムーバルメディア７１に記録されているデータを読み出し、または、所定のデータをリムーバルメディア７１に記録させる。
【００６１】
以上のように構成されるサーバ１３では、例えば、ビデオカメラ１１から、ICカード１５ａに記憶されているアドレスにより指示される記憶領域Ａへのアクセスを要求するコマンドが送信されてくると、通信部６９が、ビデオカメラ１１からのコマンドを受信し、入出力インターフェース６５およびバス６４を介して、CPU６１に供給する。ビデオカメラ１１からのコマンドには、ICカード１５ａに記憶されているカードIDとアドレスとが含まれており、CPU６１は、記憶部６８に記憶されているICカード登録テーブルを参照し、ビデオカメラ１１からのアクセスの要求に対する認証を行う。
【００６２】
例えば、記憶部６８に記憶されているICカード登録テーブルに、ビデオカメラ１１からのコマンドに含まれているカードIDとアドレスとが対応付けられて登録されていれば、CPU６１は、ビデオカメラ１１からのアクセスの要求に対する認証に成功する。一方、記憶部６８に記憶されているICカード登録テーブルに、ビデオカメラ１１からのコマンドに含まれているカードIDとアドレスとが対応付けられて登録されていなければ、CPU６１は、ビデオカメラ１１からのアクセスの要求に対する認証に失敗する。
【００６３】
CPU６１が、ビデオカメラ１１からのアクセスの要求に対する認証に成功した場合、通信部６９は、CPU６１の制御に従い、認証に成功した旨のレスポンスをビデオカメラ１１に送信する。その後、ビデオカメラ１１の送信部２５から、撮影部２３により撮影された映像が送信されてくると、通信部６９は、ビデオカメラ１１から送信されてくる映像を受信し、入出力インターフェース６５を介して記憶部６８に供給する。そして、CPU６１は、記憶部６８を制御して、ビデオカメラ１１からの映像を、記憶部６８の記憶領域の一部である記憶領域Ａに記憶させる。
【００６４】
また、サーバ１３では、例えば、テレビジョン受像機１２から、ICカード１５ｂに記憶されているアドレスにより指示される記憶領域Ｂへのアクセスを要求するコマンドが送信されてくると、通信部６９が、テレビジョン受像機１２からのコマンドを受信して、CPU６１に供給する。テレビジョン受像機１２からのコマンドには、ICカード１５ｂに記憶されているカードIDとアドレスとが含まれており、CPU６１は、記憶部６８に記憶されているICカード登録テーブルを参照し、テレビジョン受像機１２からのアクセスの要求に対する認証を行う。
【００６５】
そして、CPU６１が、テレビジョン受像機１２からのアクセスの要求に対する認証に成功した場合、通信部６９は、CPU６１の制御に従い、認証に成功した旨のレスポンスをテレビジョン受像機１２に送信する。
【００６６】
その後、テレビジョン受像機１２から、記憶領域Ｂに記憶されている映像のリストを要求するコマンドが送信されてくると、通信部６９は、CPU６１の制御に従い、記憶部６８の記憶領域の一部である記憶領域Ｂに映像が記憶されていれば、記憶領域Ｂに記憶されている映像のリストを送信し、記憶領域Ｂに映像が記憶されていなければ、記憶領域Ｂが空である旨を示す情報を送信する。そして、テレビジョン受像機１２から、リストに含まれていた映像のうちの、ユーザに指定された映像の送信を要求するコマンドが送信されてくると、通信部６９は、そのコマンドを受信してCPU６１に供給する。CPU６１は、テレビジョン受像機１２からのコマンドにより要求された映像を記憶部６８の記憶領域Ｂから読み出して通信部６９に供給し、通信部６９は、ネットワーク１４を介して、その映像をテレビジョン受像機１２に送信する。
【００６７】
次に、図５は、図２のビデオカメラ１１が、図４のサーバ１３に映像を記憶させる処理を説明するフローチャートである。
【００６８】
例えば、ビデオカメラ１１の入力部２１が備える電源ボタン（図示せず）をユーザが操作し、ビデオカメラ１１の電源がオンになると、処理が開始され、ステップＳ１１において、カードR/W２２は、所定の一定時間だけ処理を待機する。
【００６９】
一定時間が経過すると、処理はステップＳ１２に進み、カードR/W２２は、ICカードを検出したか否か、即ち、カードR/W２２の通信可能な範囲内にICカードが近接されたか否かを判定する。
【００７０】
ステップＳ１２において、カードR/W２２が、ICカードを検出していないと判定した場合、処理はステップＳ１１に戻る。即ち、カードR/W２２は、ICカードを検出したと判定するまで、処理を待機する。
【００７１】
そして、ユーザが、例えば、ICカード１５ａをカードR/W２２にかざすと、即ち、カードR/W２２の通信可能な範囲内にICカード１５ａを近接させると、カードR/W２２はICカードを検出し、ステップＳ１２において、カードR/W２２はICカードを検出したと判定して、処理はステップＳ１３に進む。
【００７２】
ステップＳ１３において、カードR/W２２は、ユーザによりかざされたICカード１５ａに記憶されているカードIDおよびアドレスを、ICカード１５ａから読み出す。カードR/W２２は、ICカード１５ａから読み出したカードIDおよびアドレスを、制御部２７に供給し、処理はステップＳ１４に進む。
【００７３】
ステップＳ１４において、制御部２７は、送信部２５を制御し、ステップＳ１３でカードR/W２２から供給されたアドレスにより指示される記憶領域へのアクセスを要求するコマンドを、図１のネットワーク１４を介して、サーバ１３に送信させる。
【００７４】
ステップＳ１４の処理後、処理はステップＳ１５に進み、受信部２６がサーバ１３からのレスポンスを制御部２７に供給するまで、処理は待機する。そして、サーバ１３が、ビデオカメラ１１からのコマンドに対するレスポンスを送信し（後述する図７のステップＳ４４またはＳ４５の処理）、受信部２６が、サーバ１３から送信されてきたレスポンスを受信して、そのレスポンスを制御部２７に供給すると、処理はステップＳ１６に進む。
【００７５】
ステップＳ１６において、制御部２７は、ステップＳ１５で受信部２６から供給されたサーバ１３からのレスポンスに基づき、ステップＳ１４でサーバ１３に送信したコマンドに対するサーバ１３による認証が成功したか否かを判定する。
【００７６】
即ち、制御部２７は、サーバ１３からのレスポンスが、ビデオカメラ１１からのアクセスの要求に対する認証に成功した旨を示していれば、サーバ１３による認証が成功したと判定する。一方、制御部２７は、サーバ１３からのレスポンスが、ビデオカメラ１１からのアクセスの要求に対する認証に失敗した旨を示していれば、サーバ１３による認証が成功しなかったと判定する。
【００７７】
ステップＳ１６において、制御部２７が、サーバ１３による認証が成功しなかったと判定した場合、処理はステップＳ１７に進む。
【００７８】
ステップＳ１７において、制御部２７は、表示部２４に、サーバ１３にアクセスすることができなかった旨のエラーメッセージを表示させ、処理はステップＳ１１に戻り、以下、同様の処理が繰り返される。
【００７９】
一方、ステップＳ１６において、制御部２７が、サーバ１３による認証が成功したと判定した場合、処理はステップＳ１８に進む。
【００８０】
ステップＳ１８において、制御部２７は、録画を開始させる操作、例えば、ユーザにより入力部２１の録画開始ボタン（図示しない）が操作されるまで処理を待機する。そして、ユーザにより入力部２１の録画開始ボタンが操作されると、制御部２７は、撮影部２３を制御し、撮影部２３が撮影した映像を、送信部２５に供給させる。これにより、送信部２５は、サーバ１３の記憶領域Ａへの記憶の対象となる映像を取得する。
【００８１】
その後、送信部２５は、制御部２７の制御に従って、ネットワーク１４を介して、撮影部２３が撮影した映像を、ステップＳ１３でICカード１５ａから読み出されたアドレスにより指示されるサーバ１３の記憶領域Ａに記憶させるために、サーバ１３に送信し、処理を終了する。
【００８２】
以上のように、ビデオカメラ１１では、ユーザが、例えば、ICカード１５ａをカードR/W２２にかざすと、サーバ１３との通信が開始され、録画を開始させる操作に応じて、ICカード１５ａに記憶されているアドレスにより指示されるサーバ１３の記憶領域Ａに、撮影部２３が撮影した映像を記憶させることができる。
【００８３】
これにより、ビデオカメラ１１は、直感的な操作をユーザに提供することができる。例えば、従来のビデオカメラでは、ユーザは、ビデオカメラにビデオカセットテープをセットして、録画を開始させる操作を行うことで、録画を開始させる。これに対し、ビデオカメラ１１では、ビデオカセットテープをセットする動作に置き換えて、ICカード１５ａをかざすだけでよく、従来のビデオカメラに対する操作に慣れているユーザにとって、直感的な操作である。
【００８４】
次に、図６は、図３のテレビジョン受像機１２が、図４のサーバ１３に映像を記憶させ、または、サーバ１３に記憶されている映像を再生する処理を説明するフローチャートである。
【００８５】
例えば、テレビジョン受像機１２のリモートコマンダ４８が備える電源ボタン（図示せず）をユーザが操作して、テレビジョン受像機１２の電源がオンになると、処理が開始される。
【００８６】
ここで、ステップＳ２１乃至Ｓ２７では、図５のステップＳ１１乃至Ｓ１７とそれぞれ同様の処理が行われ、これにより、テレビジョン受像機１２では、ユーザによりかざされたICカードに記憶されているアドレスにより指示された記憶領域へのアクセスを要求するコマンドが送信され、そのコマンドに応じて送信されてくるレスポンスが受信される。そして、ステップＳ２６において、制御部４７により、テレビジョン受像機１２からのアクセスの要求に対する認証が成功したか否かが判定される。
【００８７】
なお、以下の説明においては、ユーザにより、ICカード１５ｂがテレビジョン受像機１２のカードR/W４２にかざされ、ICカード１５ｂには、サーバ１３の記憶領域Ｂを指示するアドレスが記憶されているものとする。また、サーバ１３の記憶領域Ｂには、映像が既に記憶されているものとする。
【００８８】
ステップＳ２６において、テレビジョン受像機１２からのアクセスの要求に対する認証が成功したと判定されると、処理はステップＳ２８に進み、制御部４７は、ユーザによりリモートコマンダ４８が操作され、リモートコマンダ４８が、ユーザの操作に応じた操作信号を操作信号受信部４１に送信し、操作信号受信部４１から操作信号が供給されるまで処理を待機する。そして、制御部４７は、操作信号受信部４１から操作信号が供給されると、その操作信号に基づき、ユーザの操作は、チューナ４３が取得した映像を記憶させる操作、または、サーバ１３に記憶されている映像を再生するために映像のリストを表示させる操作のうちの、いずれであるかを判定する。
【００８９】
ステップＳ２８において、制御部４７が、ユーザの操作はチューナ４３が取得した映像を記憶させる操作であると判定した場合、処理はステップＳ２９に進む。
【００９０】
ステップＳ２９において、チューナ４３は、制御部４７の制御に従い、サーバ１３への記憶の対象となった映像を送信部４５に供給する。これにより、送信部４５は、サーバ１３への記憶の対象となった映像を取得し、その映像を、ステップＳ２３でICカード１５ｂから読み出されたアドレスにより指示されるサーバ１３の記憶領域Ｂに記憶させるために、サーバ１３に送信して、処理は終了される。
【００９１】
一方、ステップＳ２８において、制御部４７が、ユーザの操作はサーバ１３に記憶されている映像を再生するために映像のリストを表示させる操作であると判定した場合、処理はステップＳ３０に進む。ステップＳ３０において、送信部４５は、制御部４７の制御に従い、ステップＳ２３でICカード１５ｂから読み出されたアドレスにより指示されるサーバ１３の記憶領域Ｂに記憶されている映像のリストを要求するコマンドを、サーバ１３に送信する。
【００９２】
ステップＳ３０の処理後、処理はステップＳ３１に進み、受信部４６は、ステップＳ３０でサーバ１３に送信されたコマンドに応じてサーバ１３が送信してくる映像のリストを受信し、制御部４７に供給する。制御部４７は、受信部４６から供給された映像のリストに基づいて、表示部４４に、サーバ１３の記憶領域Ｂに記憶されている映像を示すアイコンを表示させ、処理はステップＳ３２に進む。
【００９３】
ステップＳ３２において、テレビジョン受像機１２に映像の再生を開始させる操作、例えば、ユーザがリモートコマンダ４８を操作し、任意のアイコンを選択して、そのアイコンに対応する映像の再生を指示する操作を行い、その操作に応じた操作信号が、操作信号受信部４１から制御部４７に供給されるまで処理は待機される。そして、映像の再生を指示する操作信号が操作信号受信部４１から制御部４７に供給されると、制御部４７は、送信部４５を制御し、ユーザにより再生が指示された映像の送信を要求するコマンドを、サーバ１３に送信させる。
【００９４】
ステップＳ３２の処理後、処理はステップＳ３３に進み、受信部４６は、ステップＳ３２でサーバ１３に送信されたコマンドに応じてサーバ１３が送信してくる映像を受信し、表示部４４に供給する。表示部４４は、受信部４６から供給された映像を再生し、処理を終了する。
【００９５】
以上のように、テレビジョン受像機１２では、ユーザが、例えば、ICカード１５ｂをカードR/W４２にかざすと、サーバ１３との通信が開始され、サーバ１３への記憶の対象となった映像を、ICカード１５ｂに記憶されているアドレスにより指示されるサーバ１３の記憶領域Ｂに記憶させ、また、サーバ１３の記憶領域Ｂに記憶されている映像を再生させることができる。
【００９６】
これにより、ユーザは、例えば、従来のDVDプレーヤにDVDをセットして映像の再生を開始させる操作と同様に、テレビジョン受像機１２にICカード１５ｂをかざして映像の再生を開始させる操作をおこなうだけでよいので、従来の操作と同様な、直感的な操作で、サーバ１３に記憶させる映像を再生させることができる。即ち、ユーザは、例えば、DVDに記録されている映像を再生させるのと同様の操作感覚で、あたかも、ICカード１５ｂに記憶されている映像を再生させるようにして、サーバ１３の記憶領域Ｂに記憶されている映像を再生させることができる。
【００９７】
また、ユーザは、物理的なICカードを管理することで、ICカードに対応付けられた記憶領域に記憶されている映像を管理することができるので、DVDなどのようなメディアの管理と同様に、映像を容易に管理することができる。具体的には、例えば、GUIなどを利用した映像の管理においては、映像を記憶させたフォルダの階層が深くなると、映像を探し出すことが困難な場合がある。これに対して、物理的なICカードを利用して映像を管理することで、映像が深い階層に埋もれてしまうことを回避することができ、映像を容易に見つけ出すことができる。
【００９８】
次に、図７は、図４のサーバ１３が、図３のテレビジョン受像機１２からの映像を記憶し、または、映像をテレビジョン受像機１２に送信する処理を説明するフローチャートである。
【００９９】
テレビジョン受像機１２から、図１のネットワーク１４を介して、アクセスを要求するコマンドが送信されてくると処理が開始され、ステップＳ４１において、サーバ１３の通信部６９は、テレビジョン受像機１２から送信されてきたコマンドを受信する。通信部６９は、テレビジョン受像機１２からのコマンドをCPU６１に供給する。
【０１００】
ここで、例えば、ユーザが、テレビジョン受像機１２のカードR/W４２にICカード１５ｂにかざし、テレビジョン受像機１２が、ICカード１５ｂに記憶されているアドレスにより指示されるサーバ１３の記憶領域Ｂへのアクセスを要求するコマンドを送信した（図６のステップＳ２４の処理）とする。この場合、通信部６９は、ICカード１５ｂに記憶されていたカードIDとアドレスとを含むコマンドを受信する。
【０１０１】
ステップＳ４１の処理後、処理はステップＳ４２に進み、CPU６１は、通信部６９から供給されたコマンドに含まれているカードIDとアドレスとに基づいて、アクセスの要求に対する認証を行う。
【０１０２】
即ち、CPU６１は、記憶部６８に記憶されているICカード登録テーブル（後述する図８）を参照し、テレビジョン受像機１２からのコマンドに含まれているカードIDとアドレスとが、ICカード登録テーブルに対応付けられて登録されていれば、アクセスの要求に対する認証に成功する。一方、テレビジョン受像機１２からのコマンドに含まれているカードIDとアドレスとが、ICカード登録テーブルに対応付けられて登録されていなければ、CPU６１は、アクセスの要求に対する認証に失敗する。
【０１０３】
ステップＳ４２の処理後、処理はステップＳ４３に進み、CPU６１は、ステップＳ４２で、アクセスの要求に対する認証は成功したか否かを判定する。
【０１０４】
ステップＳ４３において、CPU６１が、アクセスの要求に対する認証に成功しなかった、即ち、認証は失敗したと判定した場合、処理はステップＳ４４に進み、通信部６９は、CPU６１の制御に従い、アクセスの要求に対する認証は失敗した旨のレスポンスを、テレビジョン受像機１２に送信し、処理は終了される。
【０１０５】
一方、ステップＳ４３において、CPU６１が、アクセスの要求に対する認証は成功したと判定した場合、処理はステップＳ４５に進み、通信部６９は、CPU６１の制御に従い、アクセスの要求に対する認証は成功した旨のレスポンスを、テレビジョン受像機１２に送信する。
【０１０６】
ステップＳ４５の処理後、処理はステップＳ４６に進み、通信部６９は、テレビジョン受像機１２から、映像またはコマンドが送信されてくるまで処理を待機する。そして、テレビジョン受像機１２から映像またはコマンドが送信されてくると、通信部６９は、その映像またはコマンドを受信し、処理はステップＳ４７に進む。
【０１０７】
ステップＳ４７において、CPU６１は、ステップＳ４６で、通信部６９が映像またはコマンドのうちのいずれを受信したのかを判定する。
【０１０８】
即ち、図６を参照して説明したように、ユーザにより、テレビジョン受像機１２のチューナ４３が取得した映像を記憶させる操作が行われた場合、テレビジョン受像機１２の送信部４５は、サーバ１３に記憶させる対象となった映像を送信するので（図６のステップＳ２９の処理）、通信部６９は、その映像を受信する。また、ユーザにより、サーバ１３に記憶されている映像を再生するために映像のリストを表示させる操作が行われた場合、テレビジョン受像機１２の送信部４５は、ICカード１５ｂから読み出されたアドレスにより指示されるサーバ１３の記憶領域Ｂに記憶されている映像のリストを要求するコマンドを送信するので（図６のステップＳ３０の処理）、通信部６９は、そのコマンドを受信する。
【０１０９】
ステップＳ４７において、CPU６１が、通信部６９は映像を受信したと判定した場合、処理はステップＳ４８に進み、通信部６９は、CPU６１の制御に従って、テレビジョン受像機１２から送信されてきた映像を記憶部６８に供給する。記憶部６８は、通信部６９からの映像を、ステップＳ４１で通信部６９が受信したアクセスを要求するコマンドに含まれるアドレスにより指示される記憶領域Ｂに記憶させ、処理を終了する。
【０１１０】
一方、ステップＳ４７において、CPU６１が、通信部６９はコマンドを受信したと判定した場合、処理はステップＳ４９に進む。
【０１１１】
ステップＳ４９において、CPU６１は、通信部６９が受信したコマンド、即ち、サーバ１３の記憶領域Ｂに記憶されている映像のリストを要求するコマンドに応じて、通信部６９を制御し、記憶領域Ｂに記憶されている映像のリストを送信させ、処理はステップＳ５０に進む。
【０１１２】
ステップＳ５０において、テレビジョン受像機１２から映像の送信を要求するコマンドが送信するまで処理は待機され、図６のステップＳ３２の処理において、テレビジョン受像機１２の送信部４５が、ユーザにより再生が指示された映像の送信を要求するコマンドを送信すると、通信部６９は、テレビジョン受像機１２からのコマンドを受信してCPU６１に供給する。CPU６１は、通信部６９が受信したコマンドに基づいて、送信を要求された映像を記憶部６８から読み出して通信部６９に供給し、通信部６９は、記憶部６８から読み出された映像、即ち、ユーザにより再生が指示された映像を、テレビジョン受像機１２に送信し、処理は終了される。
【０１１３】
なお、図７においては、サーバ１３がテレビジョン受像機１２との映像の送受信を行う処理について説明をしたが、例えば、サーバ１３がビデオカメラ１１により撮影された映像を受信して記憶する場合には、サーバ１３がテレビジョン受像機１２からの映像を受信する処理と同様の処理が行われる。
【０１１４】
また、サーバ１３は、テレビジョン受像機１２からのアクセスの要求に対する認証は成功した旨のレスポンスを送信するとともに、アクセスを要求するコマンドに含まれているアドレスにより指示される記憶領域Ｂに記憶されている映像のリストを送信してもよい。この場合、映像のリストを表示させるためのユーザの操作を省略させることができる。
【０１１５】
次に、図８は、サーバ１３の記憶部６８に記憶されるICカード登録テーブルの例を示す図である。
【０１１６】
図８において、ICカード登録テーブルには、カードID、アドレス、パスワード、データ処理、および処理状態が対応付けられて登録されている。
【０１１７】
カードIDは、個々のICカードを識別するために用いられる符号である。図８のICカード登録テーブルにおいては、上から１行目のエントリ（レコード）には、カードID「0123abcd」が登録されており、上から２行目のエントリには、カードID「4567efgh」が登録されている。以下では、カードID「0123abcd」を、ICカード１５ａを識別するためのものとし、カードID「4567efgh」を、ICカード１５ｂを識別するためのものとして説明する。
【０１１８】
アドレスは、それぞれ対応付けられているカードIDにより識別されるICカード、即ち、ICカード１５ａまたは１５ｂにより利用可能な記憶領域を指示する符号である。図８のICカード登録テーブルにおいては、ICカード１５ａのカードID「0123abcd」に対応付けられて、アドレス「http://***.***/strage/12GBusers/***」が登録されており、ICカード１５ｂのカードID「4567efgh」に対応付けられて、アドレス「http://***.*** /strage/24GBusers/***」が登録されている。
【０１１９】
ここで、アドレスには、それぞれのICカードにより利用可能な記憶領域の記憶容量を表す情報が含まれている。例えば、ICカード１５ａのカードIDに対応付けられているアドレスに記載されている「12GBusers」は、ICカード１５ａにより利用可能な記憶領域の記憶容量が１２ギガバイト（Giga Byte）であることを表しており、ICカード１５ｂのカードIDに対応付けられているアドレスに記載されている「24GBusers」は、ICカード１５ｂにより利用可能な記憶領域の記憶容量が２４ギガバイトであることを表している。
【０１２０】
なお、ICカードにより利用可能な記憶領域の記憶容量は、例えば、ICカードの購入金額などによって、あらかじめ設定されている。また、ユーザが、ICカードを購入後に、料金を別途支払うことによって、そのICカードにより利用可能な記憶領域の記憶容量を、料金に応じた記憶容量に増加させることもできる。なお、それぞれの記憶領域を指示するアドレスは、図８に記載された形式に限られるものではなく、サーバ１３が用いる通信プロトコルも、HTTP（Hypertext Transfer Protocol）に限られるものではない。
【０１２１】
図８のICカード登録テーブルに登録されているパスワードは、アクセスの要求に対する認証に用いられる文字または数字の羅列である。図８のICカード登録テーブルにおいては、ICカード１５ａのカードID「0123abcd」に対応付けられて、パスワード「********」が登録されており、ICカード１５ｂのカードID「4567efgh」に対応付けられて、パスワード「********」が登録されている。
【０１２２】
ここで、上述したように、サーバ１３は、アクセスの要求に対する認証に、アクセスを要求するコマンドに含まれているカードIDとアドレスとを用いるが、さらに、パスワードを用いることができる。認証に用いられるパスワードは、例えば、ICカード１５ａまたは１５ｂを購入したユーザが、ユーザ自身のみが知り得る文字列などをパスワードとして、サーバ１３に送信することで、ICカード登録テーブルに登録される。
【０１２３】
このようにパスワードが登録されている場合、サーバ１３では、アクセスを要求するコマンドとともに、パスワードが送信されてこなければ、アクセスの要求に対する認証は行われない。そして、サーバ１３は、コマンドに含まれるカードIDおよびアドレス、並びに、コマンドとともに送信されてくるパスワードが対応付けられてICカード登録テーブルに登録されていれば、アクセスの要求に対する認証に成功する。
【０１２４】
従って、ユーザが、ICカード１５ａまたは１５ｂを、例えば、ビデオカメラ１１にかざすとともに、正しいパスワードをビデオカメラ１１に入力しなければ、サーバ１３は、ビデオカメラ１１からのアクセスの要求に対する認証に成功することはない。これにより、ICカード１５ａまたは１５ｂを購入したユーザだけが、ICカード１５ａまたは１５ｂにより利用可能な記憶領域を利用することができる。
【０１２５】
図８のICカード登録テーブルに登録されているデータ処理は、それぞれ対応付けられているアドレスに記憶されるデータに対して、サーバ１３が提供するデータ処理を示している。例えば、データ処理「F1」は、ブレ補正処理を示しており、データ処理「F3」は、高解像度化処理を示している。
【０１２６】
ここで、サーバ１３は、ビデオカメラ１１やテレビジョン受像機１２から送信されてきて、所定の記憶領域に記憶する映像に、その映像の解像度をより高解像度とする解像度の変換を行う高解像度化処理や、その映像の撮影時のブレ（手ブレ）を補正するブレ補正処理などのデータ処理を施すことができる。
【０１２７】
これらのデータ処理は、ICカードごとにあらかじめ設定されている。ICカード１５ａのカードID「0123abcd」に対応付けられて、データ処理「F1」および「F3」が登録されていることより、ICカード１５ａにより利用可能な記憶領域に映像が送信されて記憶されると、その映像には、ブレ補正処理と高解像度化処理が施される。また、ICカード１５ｂのカードID「4567efgh」に対応付けられて、データ処理「F1」が登録されていることより、ICカード１５ｂにより利用可能な記憶領域に映像が送信されて記憶されると、その映像には、ブレ補正処理が施される。
【０１２８】
例えば、ユーザは、自身が必要なデータ処理がサーバ１３により提供されるように設定されているICカードを購入することにより、サーバ１３に記憶させたデータにデータ処理を施させることができる。また、ユーザがICカードを購入した後に、サーバ１３が新たなデータ処理を提供することができるようになったときなどには、ユーザは、必要に応じて料金を支払うことによって、サーバ１３によるデータ処理の提供を受けることができる。
【０１２９】
このように、サーバ１３がデータ処理を提供することにより、例えば、ユーザの所有するビデオカメラに手ブレ補正機能が備えられていないとしても、ユーザは、そのビデオカメラにより撮影された映像をサーバ１３に送信することで、その映像のブレが補正された映像を得ることができる。また、このようなサービスを提供する側としては、データ処理ごとの料金を柔軟に設定することができ、容易に費用を回収するビジネスモデルを展開することができる。
【０１３０】
なお、これらのデータ処理が、サーバ１３により自動的に施されるようにすることにより、ユーザが、データをサーバ１３に送信させる（アップロードする）だけの簡潔なシステムを構成することができる。また、例えば、ユーザが、ICカード１５ａまたは１５ｂをビデオカメラ１１にかざして、サーバ１３に映像を送信する際に、所定のデータ処理が施されるように入力部２１を操作することで、所定のデータ処理を施すことを指示するフラグが付加された映像が送信され、サーバ１３が、ユーザにより指示されたデータ処理を映像に施すようにしてもよい。
【０１３１】
図８のICカード登録テーブルに登録されている処理状態は、サーバ１３により施されるデータ処理が、処理済であるか未処理であるかなどを示している。
【０１３２】
例えば、処理状態「S10」は、対応付けられているアドレスに記憶されている映像に対するデータ処理が処理済であることを示し、処理状態「S20」は、対応付けられているアドレスに記憶されている映像に対するデータ処理が未処理であることを示している。サーバ１３では、ICカード登録テーブルに登録されている処理状態に基づいて、未処理のデータ処理が行われる。
【０１３３】
なお、ビデオカメラ１１は、アクセスを要求するコマンドとともに、ビデオカメラ１１を識別するための機器IDをサーバ１３に送信してもよい。これにより、サーバ１３の複数の記憶領域に記憶されている映像が、ビデオカメラ１１により撮影されたものであるということを把握することができる。
【０１３４】
例えば、ユーザが、ICカード１５ａをビデオカメラ１１にかざして映像を記憶させている途中に、サーバ１３の記憶領域Ａの容量を超えるようなとき、ユーザが、映像を記憶させる処理を中断させずに、ICカード１５ａに替えてICカード１５ｂをビデオカメラ１１にかざすことで、記憶領域Ａから記憶領域Ｂへ、映像が途切れることなく記憶されるようにすることができる。この場合、ビデオカメラ１１を識別するための機器IDをサーバ１３に送信して、映像に対応付けさせることで、記憶領域ＡおよびＢに記憶されている映像は、ビデオカメラ１１により撮影されたものであることを把握することができ、さらに、撮影時間などから、連続して撮影されたものであることを把握することができる。
【０１３５】
また、あるICカードに記憶されているアドレスを、他のICカードにも記憶させることで、例えば、複数のユーザで、同一の記憶領域を共有することができる。
【０１３６】
なお、本実施の形態においては、テレビジョン受像機１２が、ネットワーク１４を介してサーバ１３と通信する通信機能を備えているが、テレビジョン受像機１２は、その他、例えば、映像を再生するディスプレイと、ネットワーク１４を介してサーバ１３と通信する通信装置が別々の独立した装置として構成されるものであってもよい。
【０１３７】
また、テレビジョン受像機１２のリモートコマンダ４８は、ICカード１５ａまたは１５ｂと通信を行うカードR/Wを備えることができる。これにより、ユーザは、ICカード１５ａまたは１５ｂをカードR/W２２にかざすことなく、ユーザの手元にあるリモートコマンダ４８にかざすだけで、テレビジョン受像機１２に、サーバ１３との通信を行わせることができる。従って、例えば、ユーザは、テレビジョン受像機１２に近づいてICカード１５ａまたは１５ｂをかざす手間が省け、サーバ１３との通信を、より簡単に行わせることができる。
【０１３８】
さらに、サーバ１３の記憶領域を指示するアドレスを記憶した物体（オブジェクト）としては、非接触での近接通信を行うICカード１５ａまたは１５ｂの他、例えば、USB（Universal Serial Bus）メモリなどの接続デバイスを備えたものでもよい。例えば、ビデオカメラ１１やテレビジョン受像機１２が、USBメモリを接続するためのUSBポートを備えていれば、そのUSBポートに、アドレスを記憶したUSBメモリを差し込むだけで、サーバ１３との通信を行わせることができる。
【０１３９】
また、テレビジョン受像機１２が、ハードディスクなどの記憶部を備える場合には、ICカード１５ａまたは１５ｂに、その記憶部の所定の記憶領域を指示するアドレスを記憶させることができる。即ち、ネットワーク１４を介してサーバ１３に映像を記憶させるときにICカード１５ａまたは１５ｂを利用するだけでなく、テレビジョン受像機１２自身に映像を記憶させるときにICカード１５ａまたは１５ｂを利用することができる。この場合においても、ユーザは、物理的なICカードにより映像を管理するので、テレビジョン受像機１２の内部に記憶されている映像を、GUIなどを利用して管理するよりも、容易に管理することができる。
【０１４０】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【０１４１】
また、本明細書において、システムとは、複数の装置により構成される装置全体を表すものである。
【０１４２】
ここで、サーバ１３において、CPU６１が実行するプログラムは、リムーバルメディア７１に記録し、リムーバルメディア７１がドライブ７０に装着されたときに、ドライブ７０および入出力インターフェース６５を介して、記憶部６８にインストールすることができる。また、CPU６１が実行するプログラムは、上述したようなリムーバルメディア７１を介して記憶部６８にインストールする他、ダウンロードサイトからサーバ１３に、ディジタル衛星放送用の人工衛星を介して無線でダウンロードし、あるいは、LANやインターネットといったネットワークを介して有線でダウンロードし、記憶部６８にインストールすることができる。
【０１４３】
また、ビデオカメラ１１のCPU２８やテレビジョン受像機１２のCPU４９が実行するプログラムも、サーバ１３のプログラムと同様に、ビデオカメラ１１のメモリ２９やテレビジョン受像機１２のメモリ５０にインストールすることができる。
【０１４４】
なお、本発明の実施の形態は、上述した実施の形態に限定されるものではなく、本発明の要旨を逸脱しない範囲において種々の変更が可能である。
【図面の簡単な説明】
【０１４５】
【図１】本発明を適用したストレージシステムの一実施の形態の構成例を示す図である。
【図２】ビデオカメラ１１の構成の例を示すブロック図である。
【図３】テレビジョン受像機１２の構成の例を示すブロック図である。
【図４】サーバ１３の構成の例を示すブロック図である。
【図５】ビデオカメラ１１の処理を説明するフローチャートである。
【図６】テレビジョン受像機１２の処理を説明するフローチャートである。
【図７】サーバ１３の処理を説明するフローチャートである。
【図８】ICカード登録テーブルの例を示す図である。
【符号の説明】
【０１４６】
１１  ビデオカメラ，  １２  テレビジョン受像機，  １３  サーバ，  １４  ネットワーク，  １５ａ，１５ｂ  ICカード，  ２１  入力部，  ２２  カードR/W，  ２３  撮影部，  ２４  表示部，  ２５  送信部，  ２６  受信部，  ２７  制御部，  ２８  CPU，  ２９  メモリ，  ４１  操作信号受信部，  ４２  カードR/W，  ４３  チューナ，  ４４  表示部，  ４５  送信部，  ４６  受信部，  ４７  制御部，  ４８  リモートコマンダ，  ４９  CPU，  ５０  メモリ，  ６１  CPU，  ６２  ROM，  ６３  RAM，  ６４  バス，  ６５  入出力インターフェース，  ６６  入力部，  ６７  出力部，  ６８  記憶部，  ６９  通信部，  ７０  ドライブ，  ７１  リムーバルメディア
【図１】
2008276667.tif 000003
【図２】
2008276667.tif 000004
【図３】
2008276667.tif 000005
【図４】
2008276667.tif 000006
【図５】
2008276667.tif 000007
【図６】
2008276667.tif 000008
【図７】
2008276667.tif 000009
【図８】
2008276667.tif 000010